【手続補正書】
【提出日】平成30年5月30日(2018.5.30)
【手続補正１】
【補正対象書類名】明細書
【補正対象項目名】００８９
【補正方法】変更
【補正の内容】
【００８９】
本明細書に開示される特定の例示的な要素、構造、特徴、詳細、構成等を、多くの実施形態において修正及び／又は組み合わせることができることは、当業者には自明であろう。全てのかかる変形例及び組み合わせは、発明者によって、考えられた発明の境界内であると企図され、例示的な図示として役立つように選択された単なる代表的な設計ではない。したがって、本発明の範囲は、本明細書に記載される特定の例示的構造に限定されるべきではないが、むしろ少なくとも請求項の言語によって説明される構造、及びそれらの構造に相当する構造にまで拡大する。本明細書に代替物として積極的に引用される要素はいずれも、所望の任意の組み合わせにおいて、特許請求の範囲に明確に含まれる場合も、又は特許請求の範囲から除外される場合もある。オープンエンド言語で本明細書に記載されているいずれの要素又は要素の組み合わせ（例えば、を含む及びその派生体）は、クローズエンド言語（例えば、からなる及びその派生体）並びに一部クローズエンド言語（例えば、から本質的になる、及びその派生体など）で更に記載されると考えられる。様々な理論及び考えられ得る機序が本明細書で考察され得るが、いかなる場合も、こうした考察が特許請求可能な主題を制限するものではないものとする。記載されたとおりの本明細書と、参照により本明細書に組み込まれている全ての文書の開示内容との間にいかなる不一致又は矛盾が存在する場合も、記載されたとおりの本明細書が優先する。本発明の実施態様の一部を以下の項目［１］−［２４］に記載する。
［１］
複数のメルトブローン多層繊維を含む熱安定性メルトブローン繊維ウェブであって、少なくとも選択されたメルトブローン多層繊維は、それぞれ、少なくとも約２００℃のＴｍを有する結晶化が遅いポリマーである第１のポリマーから構成される少なくとも１つの第１の層と、少なくとも約２００℃のＴｍを有する結晶化が速いポリマーである第２のポリマーから構成される少なくとも１つの第２の層と、を含み、
前記メルトブローン多層繊維は、前記第１のポリマー対前記第２のポリマーの平均重量比が約４５：５５〜約９５：０５を示し、かつ前記熱安定性メルトブローン繊維ウェブは、約１０％未満の熱収縮を示す、熱安定性メルトブローン繊維ウェブ。
［２］
前記第１のポリマーは、少なくとも約２４０℃のＴｍを示し、前記第２のポリマーは、少なくとも約２４０℃のＴｍを示す、項目１に記載のウェブ。
［３］
前記メルトブローン繊維の、第１のポリマー対第２のポリマーの平均重量比が約６０：４０〜約９０：１０を示す、項目１に記載のウェブ。
［４］
前記メルトブローン繊維の、第１のポリマー対第２のポリマーの平均重量比が約７０：３０〜約８０：２０を示す、項目１に記載のウェブ。
［５］
前記第１のポリマーは、ポリ（エチレンテレフタレート）、ポリ（エチレンナフタレート）、ポリ（乳酸）、ポリ（トリメチレンテレフタレート）、及びこれらの組み合わせからなる群から選択されるポリエステルである、項目１に記載のウェブ。
［６］
前記第１のポリマーは、ポリ（エチレンテレフタレート）である、項目１に記載のウェブ。
［７］
前記第１のポリマーは、非ポリマー成核剤を実質的に含まない、項目１に記載のウェブ。
［８］
前記第２のポリマーは、ポリ（ブチレンテレフタレート）、ポリメチルペンテン、及びシンジオタクチックポリスチレンからなる群から選択される、項目１に記載のウェブ。
［９］
少なくとも選択された多層繊維は、それぞれ、少なくとも一対の第１の層、及びそれらの間に個別に挟まれている第２の層を含む、項目１に記載のウェブ。
［１０］
少なくとも選択された多層繊維は、それぞれ、少なくとも
３つの第１の層及び少なくとも２つの第２の層を含み、それぞれの第２の層は、一対の第１の層の間に個別に挟まれている、項目１に記載のウェブ。
［１１］
少なくとも選択された多層繊維は、それぞれ、少なくとも５つの第１の層及び少なくとも４つの第２の層を備え、それぞれの第２の層は、一対の第１の層の間に個別に挟まれている、項目１に記載のウェブ。
［１２］
少なくとも選択された多層繊維は、それぞれ、少なくともｎの第１の層及び少なくともｎ−１の第２の層を備え、前記第２の層のうち少なくともｎ−２は、第１の層の間に個別に挟まれ、ｎは、数字７〜５１である、項目１に記載のウェブ。
［１３］
前記第１の層は単一成分層であり、前記第２の層は単一成分層である、項目１に記載のウェブ。
［１４］
前記複数のメルトブローン繊維は、集合的に、平均繊維直径約１０マイクロメートル未満を示す、項目１に記載のウェブ。
［１５］
前記ウェブは、短繊維を更に備え、前記短繊維は、前記ウェブの前記繊維材料の総重量に対して、約５重量％〜約５０重量％を占める、項目１に記載のウェブ。
［１６］
前記ウェブは、約６％未満の熱収縮を示す、項目１に記載のウェブ。
［１７］
前記ウェブは、約２％未満の熱収縮を示す、項目１に記載のウェブ。
［１８］
前記ウェブの前記メルトブローン繊維は、２００℃未満のＴｍを示す任意のポリマー材料を約５重量％以下含む、項目１に記載のウェブ。
［１９］
前記ウェブの前記メルトブローン繊維は、２００℃未満のＴｍを示す任意のポリマー材料を実質的に含まない、項目１に記載のウェブ。
［２０］
項目１に記載の熱安定性メルトブローン繊維ウェブを含む物品であって、前記物品は、断熱物品、防音物品、流体濾過物品、又はこれらの組み合わせからなる群から選択される、物品。
［２１］
前記物品は、約５％未満の熱収縮を示す防音物品である、項目２０に記載の物品。
［２２］
メルトブローダイのオリフィスを通して溶融多層フローストリームを押出し、溶融多層フィラメントを形成することと、
高速気体流により前記溶融多層フィラメントを細化し、多層メルトブローン繊維を形成することと、
繊維の塊として前記多層メルトブローン繊維を回収することと、を含む、方法であって、
前記回収された繊維の塊のフローストリームの少なくとも選択された多層メルトブローン繊維は、それぞれ、少なくとも約２００℃のＴｍを有する結晶化が遅いポリマーである溶融した第１のポリマーから構成される少なくとも１つの第１の層と、少なくとも約２００℃のＴｍを有する結晶化が速いポリマーである溶融した第２のポリマーから構成される少なくとも１つの第２の層と、を含む、方法。
［２３］
前記細化された多層フィラメントは多層メルトブローン繊維の空気浮遊流を形成し、かつ短繊維の空気浮遊流を前記多層繊維の空気浮遊流に注入することと、前記混合した多層メルトブローン繊維及び短繊維を繊維の塊として回収することと、を更に含む、項目２２に記載の方法。
［２４］
前記繊維の塊のうち少なくともいくつかの前記繊維を互いに結合して、熱安定性メルトブローン繊維ウェブを形成することを更に含む、項目２２に記載の方法。
【手続補正２】
【補正対象書類名】特許請求の範囲
【補正対象項目名】全文
【補正方法】変更
【補正の内容】
【特許請求の範囲】
【請求項１】
複数のメルトブローン多層繊維を含む熱安定性メルトブローン繊維ウェブであって、少なくとも選択されたメルトブローン多層繊維は、それぞれ、少なくとも約２００℃のＴｍを有する結晶化が遅いポリマーである第１のポリマーから構成される少なくとも１つの第１の層と、少なくとも約２００℃のＴｍを有する結晶化が速いポリマーである第２のポリマーから構成される少なくとも１つの第２の層と、を含み、
前記メルトブローン多層繊維は、前記第１のポリマー対前記第２のポリマーの平均重量比が約４５：５５〜約９５：０５を示し、かつ前記熱安定性メルトブローン繊維ウェブは、約１０％未満の熱収縮を示す、熱安定性メルトブローン繊維ウェブ。
【請求項２】
前記第１のポリマーは、少なくとも約２４０℃のＴｍを示し、前記第２のポリマーは、少なくとも約２４０℃のＴｍを示す、請求項１に記載のウェブ。
【請求項３】
前記第１のポリマーは、ポリ（エチレンテレフタレート）、ポリ（エチレンナフタレート）、ポリ（乳酸）、ポリ（トリメチレンテレフタレート）、及びこれらの組み合わせからなる群から選択されるポリエステルである、請求項１に記載のウェブ。
【請求項４】
少なくとも選択された多層繊維は、それぞれ、少なくとも一対の第１の層、及びそれらの間に個別に挟まれている第２の層を含む、請求項１に記載のウェブ。
【請求項５】
前記ウェブは、短繊維を更に備え、前記短繊維は、前記ウェブの前記繊維材料の総重量に対して、約５重量％〜約５０重量％を占める、請求項１に記載のウェブ。
【請求項６】
請求項１に記載の熱安定性メルトブローン繊維ウェブを含む物品であって、前記物品は、断熱物品、防音物品、流体濾過物品、又はこれらの組み合わせからなる群から選択される、物品。
【請求項７】
メルトブローダイのオリフィスを通して溶融多層フローストリームを押出し、溶融多層フィラメントを形成することと、
高速気体流により前記溶融多層フィラメントを細化し、多層メルトブローン繊維を形成することと、
繊維の塊として前記多層メルトブローン繊維を回収することと、を含む、方法であって、
前記回収された繊維の塊のフローストリームの少なくとも選択された多層メルトブローン繊維は、それぞれ、少なくとも約２００℃のＴｍを有する結晶化が遅いポリマーである溶融した第１のポリマーから構成される少なくとも１つの第１の層と、少なくとも約２００℃のＴｍを有する結晶化が速いポリマーである溶融した第２のポリマーから構成される少なくとも１つの第２の層と、を含む、方法。